(57)【要約】【課題】単一の装置で油焼入および水焼入を選択的に実行可能にし、設置コストを低減するとともに設置面積を小さくする。【解決手段】熱処理炉１１と、熱処理物１６を油焼入する油焼入部２２を有し、熱処理物１６を油焼入部２２に通す油焼入実行ルートと、油焼入部２２に通さない油焼入不実行ルートとを構成可能な焼入油槽１２と、熱処理物１６を水焼入する水焼入部２９，３８を有し、熱処理物１６を水焼入部２９，３８に通す水焼入実行ルートと、水焼入部２９，３８に通さない水焼入不実行ルートとを構成可能な焼入水槽１３とを備え、熱処理炉１１から搬入される熱処理物１６を油焼入実行ルートと、水焼入不実行ルートを通して搬出する油冷搬送モードと、熱処理炉１１から搬入される熱処理物１６を水焼入実行ルートと、油焼入不実行ルートを通して搬出する水冷搬送モードとを切り替える制御手段４０を設ける。【選択図】図１
2015021139.tif 000002
【特許請求の範囲】
【請求項１】
熱処理物を処理する熱処理炉と、
前記熱処理物を油焼入する油焼入部を有し、前記熱処理炉から搬入された前記熱処理物を前記油焼入部に通す油焼入実行ルートと、前記油焼入部に通さない油焼入不実行ルートとを構成可能な焼入油槽と、
前記熱処理物を水焼入する水焼入部を有し、前記熱処理炉から搬入された前記熱処理物を前記水焼入部に通す水焼入実行ルートと、前記水焼入部に通さない水焼入不実行ルートとを構成可能な焼入水槽と
を備え、
前記熱処理炉から搬入される熱処理物を前記油焼入実行ルートと、前記水焼入不実行ルートを通して搬出する油冷搬送モードと、
前記熱処理炉から搬入される熱処理物を前記水焼入実行ルートと、前記油焼入不実行ルートを通して搬出する水冷搬送モードと
を設け、
前記油冷搬送モードと前記水冷搬送モードとを切り替える制御手段を設けたことを特徴とする熱処理設備。
【請求項２】
前記焼入油槽は、油槽下側搬送部、および油槽上側搬送部を有する昇降可能な油槽搬送部を備え、
前記焼入水槽は、水槽下側搬送部、および水槽上側搬送部を有する昇降可能な水槽搬送部を備え、
前記油冷搬送モードは、
前記熱処理炉からの前記熱処理物を、前記油槽下側搬送部に搬入し、
前記油槽搬送部を下降させ、前記油槽下側搬送部の前記熱処理物を前記油焼入部で油焼入した後、外部に搬出するモードであり、
前記水冷搬送モードは、
前記熱処理炉からの前記熱処理物を、前記水槽下側搬送部に搬入し、
前記水槽下側搬送部の前記熱処理物を前記水焼入部で水焼入した後、外部に搬出するモードであることを特徴とする請求項１に記載の熱処理設備。
【請求項３】
前記水焼入部は、水貯留部、または所定位置の前記熱処理物に水を噴霧して該熱処理物を冷却可能な噴霧水冷装置、およびこれらの組み合わせのいずれかであることを特徴とする請求項１または２に記載の熱処理設備。
【請求項４】
前記焼入油槽の下流に前記焼入水槽が配置され、
前記油冷搬送モード中の前記熱処理物は、前記油槽下側搬送部から前記水槽上側搬送部へ搬送され、
前記水冷搬送モード中の前記熱処理物は、前記油槽上側搬送部から前記水槽下側搬送部へ搬送されることを特徴とする請求項１ないし３のいずれか１項に記載の熱処理設備。
【請求項５】
前記焼入水槽の下流に前記焼入油槽が配置され、
前記油冷搬送モード中の前記熱処理物は、前記水槽上側搬送部から前記油槽下側搬送部へ搬送され、
前記水冷搬送モード中の前記熱処理物は、前記水槽下側搬送部から前記油槽上側搬送部へ搬送されることを特徴とする請求項１ないし３のいずれか１項に記載の熱処理設備。
【請求項６】
前記熱処理炉は、上下方向に設けられ前記熱処理物を処理する複数段の熱処理室、および前記熱処理物を前記熱処理室に搬入し、前記熱処理室から搬出する運搬部を備えていることを特徴とする請求項１ないし５のいずれか１項に記載の熱処理設備。
【発明の詳細な説明】
【技術分野】
【０００１】
本発明は、熱処理設備に関するものである。
【背景技術】
【０００２】
特許文献１には、高温度加熱炉と中温度加熱炉とが連続するように配置された連続熱処理炉が開示されている。この連続熱処理炉では、高温度加熱炉に装入口が設けられ、中温度加熱炉に抽出口が設けられている。高温度加熱炉と中温度加熱炉との間には、焼入装置が介設されている。中温度加熱炉の下流には冷却装置が設けられている。高温度加熱炉および中温度加熱炉には、それぞれ、被熱物を搬送する上下２段の水平搬送手段が設けられている。高温度加熱炉の装入口には、被熱物を上段または下段の水平搬送手段に振り分けする昇降テーブルが設けられている。焼入装置および冷却装置の内部の下方には、それぞれ、油槽および水槽が設けられ、内部にそれぞれ設けられたエレベータに載置された被熱物を下降させ油または水に浸漬させて油焼入または水焼入を実行するようになっている。
【０００３】
この連続熱処理炉では、被熱物に油焼入および水焼入の両方を実行するようになっており、いずれか一方のみを選択して実行するようになっていない。また、被熱物に油焼入および水焼入のいずれかのみを選択的に実行するためには、油焼入用の専用装置および水焼入用の専用装置の２つの装置が必要となり、設置コストが増大するとともに設置面積が大きくなる。
【先行技術文献】
【特許文献】
【０００４】
【特許文献１】特開平１０−１７９２５号公報
【発明の概要】
【発明が解決しようとする課題】
【０００５】
本発明は、単一の装置で油焼入および水焼入を選択的に実行可能にし、設置コストを低減するとともに設置面積を小さくすることを課題とする。
【課題を解決するための手段】
【０００６】
前記課題を解決するための手段として、本発明の熱処理設備は、熱処理物を処理する熱処理炉と、前記熱処理物を油焼入する油焼入部を有し、前記熱処理炉から搬入された前記熱処理物を前記油焼入部に通す油焼入実行ルートと、前記油焼入部に通さない油焼入不実行ルートとを構成可能な焼入油槽と、前記熱処理物を水焼入する水焼入部を有し、前記熱処理炉から搬入された前記熱処理物を前記水焼入部に通す水焼入実行ルートと、前記水焼入部に通さない水焼入不実行ルートとを構成可能な焼入水槽とを備え、前記熱処理炉から搬入される熱処理物を前記油焼入実行ルートと、前記水焼入不実行ルートを通して搬出する油冷搬送モードと、前記熱処理炉から搬入される熱処理物を前記水焼入実行ルートと、前記油焼入不実行ルートを通して搬出する水冷搬送モードとを設け、前記油冷搬送モードと前記水冷搬送モードとを切り替える制御手段を設けるようにした。
【０００７】
この構成によれば、油冷搬送モードおよび水冷搬送モードが設けられているので、熱処理炉から搬入された熱処理物に対して、油焼入および水焼入を選択的に単一の装置で実行できる。また、単一の装置の設置で済むので設置コストを低減できるとともに設置面積を小さくすることができる。
【０００８】
前記焼入油槽は、油槽下側搬送部、および油槽上側搬送部を有する昇降可能な油槽搬送部を備え、前記焼入水槽は、水槽下側搬送部、および水槽上側搬送部を有する昇降可能な水槽搬送部を備え、前記油冷搬送モードは、前記熱処理炉からの前記熱処理物を、前記油槽下側搬送部に搬入し、前記油槽搬送部を下降させ、前記油槽下側搬送部の前記熱処理物を前記油焼入部で油焼入した後、外部に搬出するモードであり、前記水冷搬送モードは、前記熱処理炉からの前記熱処理物を、前記水槽下側搬送部に搬入し、前記水槽下側搬送部の前記熱処理物を前記水焼入部で水焼入した後、外部に搬出するモードであることが好ましい。この構成によれば、油槽搬送部が油槽下側搬送部および油槽上側搬送部を有するとともに昇降可能であるので、熱処理炉から搬入された熱処理物に対して油焼入を実行でき、内部で２つの搬送経路を形成できる。また、水槽搬送部が水槽下側搬送部および水槽上側搬送部を有するとともに昇降可能であるので、熱処理炉から搬入された熱処理物に対して水焼入を実行でき、内部で２つの搬送経路を形成できる。これらにより、油焼入が実行される熱処理物、および水焼入が実行される熱処理物の搬送経路を分離でき分離した経路に油冷搬送モードおよび水冷搬送モードを割り当てることができる。すなわち、単一の装置で油焼入および水焼入を選択的に実行可能な装置を構成できる。また、単一の装置の設置で済むので設置コストを低減できるとともに設置面積を小さくすることができる。
【０００９】
前記水焼入部は、水貯留部、または所定位置の前記熱処理物に水を噴霧して該熱処理物を冷却可能な噴霧水冷装置、およびこれらの組み合わせのいずれかであることが好ましい。この構成によれば、ディップ水冷のみ、噴霧水冷のみ、またはその両方の実行に対応可能な装置を構成できる。
【００１０】
前記焼入油槽の下流に前記焼入水槽が配置され、前記油冷搬送モード中の前記熱処理物は、前記油槽下側搬送部から前記水槽上側搬送部へ搬送され、前記水冷搬送モード中の前記熱処理物は、前記油槽上側搬送部から前記水槽下側搬送部へ搬送されることが好ましい。この構成によれば、油焼入が実行される熱処理物、および水焼入が実行される熱処理物の搬送経路の分離を実現できる。
【００１１】
前記焼入水槽の下流に前記焼入油槽が配置され、前記油冷搬送モード中の前記熱処理物は、前記水槽上側搬送部から前記油槽下側搬送部へ搬送され、前記水冷搬送モード中の前記熱処理物は、前記水槽下側搬送部から前記油槽上側搬送部へ搬送されることが好ましい。この構成によれば、油焼入が実行される熱処理物、および水焼入が実行される熱処理物の搬送経路の分離を実現できる。
【００１２】
前記熱処理炉は、上下方向に設けられ前記熱処理物を処理する複数段の熱処理室、および前記熱処理物を前記熱処理室に搬入し、前記熱処理室から搬出する運搬部を備えていることが好ましい。この構成によれば、熱処理設備の搬送方向に対して少ないスペースで複数の熱処理室を有する熱処理炉を設置できる。したがって、熱処理炉、ひいては熱処理設備の設置コストを低減できるとともに設置面積を小さくすることができる。
【発明の効果】
【００１３】
本発明によれば、油冷搬送モードおよび水冷搬送モードが設けられているので、熱処理炉から搬入された熱処理物に対して、油焼入および水焼入を選択的に単一の装置で実行できる。また、単一の装置の設置で済むので設置コストを低減できるとともに設置面積を小さくすることができる。
また、油焼入と水焼入の搬送経路が完全に分離されているので、経路を共通化させた場合のように、水焼入の熱処理物に油が付着したり、油焼入の熱処理物に水が付着したりして悪影響を与える恐れも無い。
【図面の簡単な説明】
【００１４】
【図１】本発明の第１実施形態にかかる熱処理設備を示す側断面図。
【図２】本発明の第１実施形態にかかる熱処理設備の油冷搬送の手順を示す図。
【図３】本発明の第１実施形態にかかる熱処理設備のディップ水冷搬送の手順を示す図。
【図４】本発明の第１実施形態にかかる熱処理設備の噴霧水冷搬送の手順を示す図。
【図５】各モードの経路を示す図。
【図６】本発明の第２実施形態にかかる熱処理設備を示す側断面図。
【図７】本発明の第２実施形態にかかる熱処理設備の油冷搬送の手順を示す図。
【図８】本発明の第２実施形態にかかる熱処理設備のディップ水冷搬送の手順を示す図。
【図９】本発明の第２実施形態にかかる熱処理設備の噴霧水冷搬送の手順を示す図。
【図１０】各モードの経路を示す図。
【図１１】本発明の第３実施形態にかかる熱処理設備を示す縦断面図。
【発明を実施するための形態】
【００１５】
以下、本発明の実施の形態を図面に従って説明する。
なお、説明で用いる「焼入油槽」及び「油槽」は、油焼入を行う機構全体を示し、「焼入水槽」及び「水槽」は、水焼入を行う機構全体を示している。そして、油及び水を貯めた容器は、それぞれ、「油貯留部」、「水貯留部」として示している。
【００１６】
（第１実施形態）
図１は、本発明の第１実施形態にかかる熱処理設備１０を示す。本発明の熱処理設備１０は、熱処理炉１１、焼入油槽１２、および焼入水槽１３を備えている。熱処理設備１０では、熱処理炉１１、焼入油槽１２、および焼入水槽１３がこの順で接続され、焼入油槽１２および焼入水槽１３の内部で複数の搬送経路を構成でき、熱処理炉１１で処理された熱処理物に対して、油焼入および水焼入を単一の装置で選択的に実行できる。
【００１７】
熱処理炉１１は、図示しない加熱手段と、略水平面である第１搬送基準面Ｐ上に位置する搬送手段であるローラ１５とを備えるローラーハース式連続炉である。熱処理炉１１には、第１搬送基準面Ｐ上の熱処理物１６を搬出する炉搬出口１７が設けられている。炉搬出口１７と油槽搬入口１８の間には、第１搬送基準面Ｐ上に、熱処理物１６を搬送するコンベア（炉搬送部）１９が設けられている。
【００１８】
焼入油槽１２は、閉塞された容器である。焼入油槽１２には、油槽搬入口１８が、熱処理炉１１の炉搬出口１７に対向するように設けられている。また、焼入油槽１２には、油槽搬入口１８と対向し第１搬送基準面Ｐ上の熱処理物１６を搬出する油槽搬出口２０が設けられている。焼入油槽１２には、第１搬送基準面Ｐの下方に、熱処理炉１１から搬入された熱処理物１６を浸漬して油焼入する油が貯留された油貯留部（油焼入部）２２が設けられている。
【００１９】
焼入油槽１２の内部には、上下２段のコンベア（油槽上側搬送部、油槽下側搬送部）２３，２４を有する油槽搬送部２５が設けられている。油槽搬送部２５は、図示しない上下方向のレール上で上位置と下位置との間で昇降可能である。図２に示すように、油槽搬送部２５の上位置では、下側コンベア２４が第１搬送基準面Ｐ上に位置する。油槽搬送部２５の下位置では、上側コンベア２３が第１搬送基準面Ｐ上に位置するとともに下側コンベア２４が油貯留部２２の内部に位置する。上側コンベア２３には、その底面に近接するように、上側コンベア２３からの落下物を受けるトレイ２６が設けられている。焼入油槽１２において、油槽搬送部２５の下位置への移動を含むルートが油焼入実行ルートであり、含まないルートが油焼入不実行ルートである。
【００２０】
焼入水槽１３は、上面開口の容器である。焼入水槽１３は第１搬送基準面Ｐの下方に配置されている。焼入水槽１３には、第１搬送基準面Ｐより下方に位置する略水平面である第２搬送基準面Ｑ上の熱処理物１６を搬出する水槽搬出口２８が設けられている。焼入水槽１３には、第２搬送基準面Ｑの下方に焼入油槽１２から搬入された熱処理物１６を浸漬して水焼入する水が貯留された水貯留部（水焼入部）２９が設けられている。
【００２１】
焼入水槽１３の内部には、上下２段のコンベア（水槽上側搬送部、水槽下側搬送部）３１，３２を有する水槽搬送部３３が設けられている。水槽搬送部３３は、図示しないレールに沿って内部上位置と下位置との間、および内部上位置と内部上位置の直上の外部に設けられた外部位置との間で昇降可能である。水槽搬送部３３の内部上位置では、上側コンベア３１が第１搬送基準面Ｐ上に位置するとともに、下側コンベア３２が第２搬送基準面Ｑ上に位置する。水槽搬送部３３の内部下位置では、上側コンベア３１が第２搬送基準面Ｑ上に位置するとともに、下側コンベア３２が水貯留部２９の内部に位置する。水槽搬送部３３の外部位置では、下側コンベア３２が第１搬送基準面Ｐ上に位置する。上側コンベア３１には、その底面に近接するように、上側コンベア３１から落下する油を受け取るオイルパン３４が設けられている。焼入水槽１３の下流側には、油焼入された熱処理物１６を抽出する油側抽出テーブル３５が第１搬送基準面Ｐ上に位置するように設けられている。また、焼入水槽１３の下流側には、水焼入された熱処理物１６を抽出する水側抽出テーブル３６が第２搬送基準面Ｑ上に位置するように設けられている。図４に示すように、焼入水槽１３には、内部上位置における下側コンベア３２の熱処理物１６に水を噴霧して熱処理物１６を冷却可能な噴霧水冷装置（水焼入部）３８が設けられている。焼入水槽１３において、水槽搬送部３３の内部上位置または下位置への移動を含むルートが水焼入実行ルートであり、含まないルートが水焼入不実行ルートである。
【００２２】
熱処理設備１０には、制御装置（制御手段）４０が設けられている。制御装置４０は、油槽搬送部２５、および水槽搬送部３３を含む熱処理設備１０（全体）の動作を制御する。
【００２３】
本発明の第１実施形態にかかる熱処理設備１０の油冷搬送について説明する。図２および図５に示すように、制御装置４０により油冷搬送モードに切り換えると、熱処理炉１１のローラ１５により搬送され熱処理された熱処理物１６は、コンベア１９により焼入油槽１２の油槽搬入口１８から搬入され、上位置の油槽搬送部２５の下側コンベア２４に搬入され載置される。次に、下側コンベア２４に載置された熱処理物１６は、油槽搬送部２５の下位置への降下により、油貯留部２２の油に浸漬される。この位置で、油焼入される。一定時間経過後、油槽搬送部２５は上位置に上昇し、下側コンベア２４に載置された熱処理物１６は、油槽搬出口２０が開いた後、焼入水槽１３の水槽搬送部３３の内部上位置における上側コンベア３１を通過して油側抽出テーブル３５に搬送される。
【００２４】
次に、第１実施形態にかかる熱処理設備１０のディップ水冷搬送について説明する。図３および図５に示すように、制御装置４０によりディップ水冷搬送モードに切り換えると、焼入油槽１２の油槽搬入口１８から搬入された熱処理物１６は、焼入油槽１２の油槽搬送部２５の下位置における上側コンベア２３を通過して焼入水槽１３の水槽搬送部３３の外部位置における下側コンベア３２に搬入され載置される。次に、下側コンベア３２に載置された熱処理物１６は、水槽搬送部３３の内部下位置への降下により、水貯留部２９の水に浸漬される。この位置で、水焼入される。一定時間経過後、水槽搬送部３３は内部上位置に上昇し、下側コンベア３２に載置された熱処理物１６は、水槽搬出口２８が開いた後、水側抽出テーブル３６に搬送される。
【００２５】
次に、第１実施形態にかかる熱処理設備１０の噴霧水冷搬送について説明する。図４および図５に示すように、制御装置４０により噴霧水冷搬送モードに切り換えると、焼入油槽１２の油槽搬入口１８から搬入された熱処理物１６は、焼入油槽１２の油槽搬送部２５の下位置における上側コンベア２３を通過して焼入水槽１３の水槽搬送部３３の外部位置における下側コンベア３２に搬入され載置される。次に、下側コンベア３２に載置された熱処理物１６は、水槽搬送部３３の内部上位置への降下し、その後、噴霧水冷装置３８の作動により、熱処理物１６に水が噴霧される。この状態で、水焼入される。一定時間経過後、下側コンベア３２に載置された熱処理物１６は、水槽搬出口２８が開いた後、水側抽出テーブル３６に搬送される。
【００２６】
本発明によれば、油冷搬送モード、ディップ水冷搬送モード、および噴霧水冷モードが設けられているので、熱処理炉１１から搬入された熱処理物１６に対して、油焼入および水焼入を選択的に単一の装置で実行できる。また、単一の装置の設置で済むので設置コストを低減できるとともに設置面積を小さくすることができる。
【００２７】
また、油槽搬送部２５が上下２段のコンベア２３，２４を有するとともに上位置と下位置との間を昇降可能であり、水槽搬送部３３が上下２段のコンベア３１，３２を有するとともに外部位置と内部上位置、および内部上位置と内部下位置との間を昇降可能であり、焼入油槽１２および焼入水槽１３の下方に油貯留部２２および水貯留部２９がそれぞれ設けられているので、熱処理炉１１から搬入された熱処理物１６に対して、油焼入または水焼入を実行できる。また、焼入油槽１２および焼入水槽１３では、それぞれ上側コンベア２３，３１上または下側コンベア２４，３２上で熱処理物１６を搬送することができる。そして、第１搬送基準面Ｐ上のみの水平方向の搬送、または第１搬送基準面Ｐ上と第２搬送基準面Ｑ上とを組み合わせた水平方向の搬送を実行できる。これらにより、油焼入が実行される熱処理物１６、および水焼入が実行される熱処理物１６の搬送経路を分離できる。すなわち、単一の装置で油焼入および水焼入を選択的に実行可能な装置を構成できる。また、単一の装置の設置で済むので設置コストを低減できるとともに設置面積を小さくすることができる。なお、油槽搬送部２５の上側コンベア２３の底面に近接するように、トレイ２６を設けているので、水焼入処理される熱処理物１６が上側コンベア２３上を移動する際に落下する埃等の落下物が下側コンベア２４や油貯留部２２に落下するのを防止できる。また、水槽搬送部３３の上側コンベア３１の底面に近接するように、オイルパン３４を設けているので、油焼入処理された熱処理物１６が上側コンベア３１上を移動する際に落下する油等の落下物が下側コンベア３２や水貯留部２９に落下するのを防止できる。
【００２８】
（第２実施形態）
図６は、本発明の第２実施形態にかかる熱処理設備１０を示す。熱処理設備１０では、熱処理炉１１、焼入水槽１３、および焼入油槽１２がこの順で接続されている。
【００２９】
炉搬出口１７と水槽搬入口６１の間には、第１搬送基準面Ｐ上に、熱処理物１６を搬送するコンベア（炉搬送部）１９が設けられている。
【００３０】
焼入水槽１３は、閉塞された容器である。焼入水槽１３には、水槽搬入口６１が、熱処理炉１１の炉搬出口１７に対向するように設けられている。また、焼入水槽１３には、水槽搬入口６１と対向し第１搬送基準面Ｐ上の熱処理物１６を搬出する水槽搬出口２８が設けられている。焼入水槽１３には、第１搬送基準面Ｐの下方に、熱処理炉１１から搬入された熱処理物１６を浸漬して水焼入する水が貯留された水貯留部（水焼入部）２９が設けられている。
【００３１】
水槽搬送部３３は、図示しない上下方向のレール上で上位置と下位置との間で昇降可能である。図８および９に示すように、水槽搬送部３３の上位置では、下側コンベア３２が第１搬送基準面Ｐ上に位置する。水槽搬送部３３の下位置では、上側コンベア３１が第１搬送基準面Ｐ上に位置するとともに下側コンベア３２が水貯留部２９の内部に位置する。上側コンベア３１には、その底面に近接するように、上側コンベア３１からの落下物を受けるトレイ２６が設けられている。
【００３２】
図６に示すように、焼入水槽１３には、上位置における下側コンベア３２の熱処理物１６に水を噴霧して熱処理物１６を冷却可能な噴霧水冷装置（水焼入部）３８が設けられている。焼入水槽１３において、水槽搬送部３３の下位置への移動を含むルート、または上位置での噴霧水冷装置３８による処理を含むルートが水焼入実行ルートであり、含まないルートが水焼入不実行ルートである。
【００３３】
焼入油槽１２は、上面開口の容器である。焼入油槽１２は第１搬送基準面Ｐの下方に配置されている。焼入油槽１２には、第１搬送基準面Ｐより下方に位置する略水平面である第２搬送基準面Ｑ上の熱処理物１６を搬出する油槽搬出口２０が設けられている。焼入油槽１２には、第２搬送基準面Ｑの下方に焼入水槽１３から搬入された熱処理物１６を浸漬して油焼入する油が貯留された油貯留部（油焼入部）２２が設けられている。
【００３４】
油槽搬送部２５は、図示しないレールに沿って内部上位置と内部下位置との間、および内部上位置と内部上位置の直上の外部に設けられた外部位置との間で昇降可能である。油槽搬送部２５の内部上位置では、上側コンベア２３が第１搬送基準面Ｐ上に位置するとともに、下側コンベア２４が第２搬送基準面Ｑ上に位置する。油槽搬送部２５の内部下位置では、上側コンベア２３が第２搬送基準面Ｑ上に位置するとともに、下側コンベア２４が油貯留部２２の内部に位置する。油槽搬送部２５の外部位置では、下側コンベア２４が第１搬送基準面Ｐ上に位置する。上側コンベア２３には、その底面に近接するように、上側コンベア２３からの落下物を受けるトレイ６２が設けられている。焼入油槽１２の下流側には、水焼入された熱処理物１６を抽出する水側抽出テーブル３６が第１搬送基準面Ｐ上に位置するように設けられている。また、焼入油槽１２の下流側には、油焼入された熱処理物１６を抽出する油側抽出テーブル３５が第２搬送基準面Ｑ上に位置するように設けられている。焼入油槽１２において、油槽搬送部２５の内部下位置への移動を含むルートが油焼入実行ルートであり、含まないルートが油焼入不実行ルートである。
【００３５】
本発明の第２実施形態にかかる熱処理設備１０の油冷搬送について説明する。図７および図１０に示すように、制御装置４０により油冷搬送モードに切り換えると、熱処理炉１１のローラ１５により搬送され熱処理された熱処理物１６は、コンベア１９により焼入水槽１３の水槽搬入口６１から搬入され、下位置の水槽搬送部３３の上側コンベア３１を通って油槽搬送部２５の下側コンベア２４に搬入され載置される。次に、下側コンベア２４に載置された熱処理物１６は、油槽搬送部２５の内部下位置への降下により、油貯留部２２の油に浸漬される。この位置で、油焼入される。一定時間経過後、油槽搬送部２５は内部上位置に上昇し、下側コンベア２４に載置された熱処理物１６は、油槽搬出口２０が開いた後、油側抽出テーブル３５に搬送される。
【００３６】
次に、第２実施形態にかかる熱処理設備１０のディップ水冷搬送について説明する。図８および図１０に示すように、制御装置４０によりディップ水冷搬送モードに切り換えると、熱処理炉１１のローラ１５により搬送され熱処理された熱処理物１６は、焼入水槽１３の水槽搬送部３３の上位置における下側コンベア３２に搬入され載置される。次に、下側コンベア３２に載置された熱処理物１６は、水槽搬送部３３の下位置への降下により、水貯留部２９の水に浸漬される。この位置で、水焼入される。一定時間経過後、水槽搬送部３３は上位置に上昇し、下側コンベア３２に載置された熱処理物１６は、油槽搬送部２５の上側コンベア２３を通って水側抽出テーブル３６に搬送される。
【００３７】
次に、第２実施形態にかかる熱処理設備１０の噴霧水冷搬送について説明する。図９および図１０に示すように、制御装置４０により噴霧水冷搬送モードに切り換えると、熱処理炉１１のローラ１５により搬送され熱処理された熱処理物１６は、焼入水槽１３の水槽搬送部３３の上位置における下側コンベア３２に搬入され載置される。その後、噴霧水冷装置３８の作動により、熱処理物１６に水が噴霧される。この状態で、水焼入される。一定時間経過後、下側コンベア３２に載置された熱処理物１６は、油槽搬送部２５の上側コンベア２３を通って水側抽出テーブル３６に搬送される。
【００３８】
本実施形態においても、第１実施形態における効果と同様の効果を得ることができる。
【００３９】
（第３実施形態）
図１１および１２は、本発明の第３実施形態にかかる熱処理設備１０を示す。本実施形態において、第１実施形態と同じ構成要素には同じ符号を付して説明を省略する。
【００４０】
熱処理設備１０の熱処理炉１１は、熱処理物１６を処理する複数の熱処理室５１を備えている。熱処理室５１は、直方体状に形成されている。熱処理室５１は、開口部を備え、該開口部には、開閉可能な扉５２が設けられている。扉５２の閉塞により、熱処理室５１の気密性が確保される。熱処理室５１は、図示しない加熱手段を備えている。熱処理室５１ａ〜ｃ，５１ｄ〜ｆは、上下３段に配置され、それらは積層部５３を構成している。２つの積層部５３，５３を、熱処理炉１１の内部に、扉５２，５２側を対向させるように配置している。熱処理炉１１は、積層部５３，５３が対向する方向と略直交する方向に互いに対向する開口部を備え、該開口部には、開閉可能な扉５４，５５が設けられている。熱処理炉１１の焼入油槽１２側の開口部は、熱処理設備１０の第１搬送基準面Ｐ上で熱処理物１６を搬出可能な位置に配置されている。熱処理炉１１の開口部は、焼入油槽１２の油槽搬入口１８と扉５５を介して接続されている。扉５４，５５の閉塞により、熱処理炉１１の気密性が確保される。また、扉５５、および油槽搬出口２０の閉塞により焼入油槽１２の気密性が確保される。
【００４１】
なお、本発明の熱処理設備１０は、前記実施形態に限定されるものではなく、種々の変更が可能である。例えば、熱処理炉１１は、ローラーハース式連続炉以外の連続炉であってもよいし、バッチ炉であってもよい。また、熱処理室５１の上下方向の段数は、２段でもよいし、４段以上でもよい。
【符号の説明】
【００４２】
１０  熱処理設備
１１  熱処理炉
１２  焼入油槽
１３  焼入水槽
１５  ローラ
１６  熱処理物
１７  炉搬出口
１８  油槽搬入口
１９  コンベア（炉搬送部）
２０  油槽搬出口
２２  油貯留部（油焼入部）
２３  上側コンベア（油槽上側搬送部）
２４  下側コンベア（油槽下側搬送部）
２５  油槽搬送部
２６  トレイ
２８  水槽搬出口
２９  水貯留部（水焼入部）
３１  上側コンベア（水槽上側搬送部）
３２  下側コンベア（水槽下側搬送部）
３３  水槽搬送部
３４  オイルパン
３５  油側抽出テーブル
３６  水側抽出テーブル
３８  噴霧水冷装置（水焼入部）
４０  制御装置（制御手段）
５１,５１ａ〜ｃ，５１ｄ〜ｆ  熱処理室
５２  扉
５３  積層部
５４  扉
５５  扉
５６  搬入室
５７  扉
６１  水槽搬入口
６２  トレイ
Ｐ  第１搬送基準面
Ｑ  第２搬送基準面
【図１】
2015021139.tif 000003
【図２】
2015021139.tif 000004
【図３】
2015021139.tif 000005
【図４】
2015021139.tif 000006
【図５】
2015021139.tif 000007
【図６】
2015021139.tif 000008
【図７】
2015021139.tif 000009
【図８】
2015021139.tif 000010
【図９】
2015021139.tif 000011
【図１０】
2015021139.tif 000012
【図１１】
2015021139.tif 000013